【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
無線信号を送信する送信装置と、前記無線信号を受信する受信装置と、を備える無線通信システムであって、
前記送信装置は、
偏波方向が互いに異なる複数の直線偏波をそれぞれ放射するＮ個（Ｎは２以上の整数）のアンテナと、
アンテナ及び周波数により構成された、互いに異なる複数の組を順に使用し、前記組の使用が、当該組を構成するアンテナを使用するとともに当該組を構成する周波数を前記無線信号の搬送波の周波数として使用することにより当該無線信号を送信する制御部と、
を備え、
前記複数の組のそれぞれは、当該組を構成するアンテナが、前記Ｎ個のアンテナから選択され、且つ、当該組を構成する周波数が、当該組を構成するアンテナに対する周波数群に含まれる複数の周波数から選択され、
前記Ｎ個のアンテナがそれぞれ使用される期間の周期をＴｐ、構成するアンテナに対する周波数群に含まれる複数の周波数の全てが１回ずつ使用される期間である周波数群使用時間をＴｓとしたとき、
Ｔｐ＝ｋＮＴｓ  （ｋは１以上の値を有する係数）
の関係で前記制御部により制御される、無線通信システム。
【請求項２】
請求項１に記載の無線通信システムであって、
前記複数の組は、前記Ｎ個のアンテナのそれぞれに対して、当該アンテナにより構成されるとともに、当該アンテナに対する前記周波数群に含まれる複数の周波数によりそれぞれ構成された複数の部分組を含む、無線通信システム。
【請求項３】
請求項２に記載の無線通信システムであって、
前記制御部は、前記Ｎ個のアンテナのそれぞれに対して、前記複数の部分組を連続して使用する、無線通信システム。
【請求項４】
請求項３に記載の無線通信システムであって、
前記制御部は、前記Ｎ個のアンテナがそれぞれ使用される複数の期間を、時間軸において順に且つ繰り返し設ける、無線通信システム。
【請求項５】
請求項１乃至請求項４のいずれか一項に記載の無線通信システムであって、
前記受信装置は、
前記複数の組のそれぞれに対して、当該組が使用される期間において受信した無線信号の品質を表す品質パラメータを取得する品質取得部と、
前記取得された品質パラメータに基づいて、前記複数の組の中から少なくとも１つの組を選択し、且つ、前記選択した少なくとも１つの組が使用される期間において受信した無線信号に基づいて、前記無線信号が表す情報を取得する情報取得部と、
を備える、無線通信システム。
【請求項６】
請求項５に記載の無線通信システムであって、
前記情報取得部は、前記取得された品質パラメータが表す品質が最も高い組を、前記複数の組の中から選択し、且つ、前記選択した組が使用される期間において受信した無線信号に基づいて、前記無線信号が表す情報を取得する、無線通信システム。
【請求項７】
請求項５又は請求項６に記載の無線通信システムであって、
前記制御部は、前記複数の組を使用することによりそれぞれ送信される複数の無線信号が表す情報を互いに一致させる、無線通信システム。
【請求項８】
請求項５乃至請求項７のいずれか一項に記載の無線通信システムであって、
前記情報取得部は、前記組の選択が実行されてから、所定の時間が経過するまでの維持期間において、前記選択した組が使用される期間において受信した無線信号に基づいて、前記無線信号が表す情報を取得するとともに、前記組の選択を中止する、無線通信システム。
【請求項９】
請求項８に記載の無線通信システムであって、
前記制御部は、前記維持期間において、前記複数の組のうちの前記選択されなかった組の使用を中止する、無線通信システム。
【請求項１０】
請求項１乃至請求項４のいずれか一項に記載の無線通信システムであって、
前記受信装置は、
前記複数のアンテナのそれぞれに対して、当該アンテナが使用される期間において受信した無線信号の品質を表す品質パラメータを取得する品質取得部と、
前記取得された品質パラメータに基づいて、前記複数のアンテナの中から少なくとも１つのアンテナを選択し、且つ、前記選択した少なくとも１つのアンテナが使用される期間において受信した無線信号に基づいて、前記無線信号が表す情報を取得する情報取得部と、
を備える、無線通信システム。
【請求項１１】
請求項１０に記載の無線通信システムであって、
前記制御部は、前記複数のアンテナを使用することによりそれぞれ送信される複数の無線信号が表す情報を互いに一致させる、無線通信システム。
【請求項１２】
請求項１０又は請求項１１に記載の無線通信システムであって、
前記情報取得部は、前記アンテナの選択が実行されてから、所定の時間が経過するまでの維持期間において、前記選択したアンテナが使用される期間において受信した無線信号に基づいて、前記無線信号が表す情報を取得するとともに、前記アンテナの選択を中止する、無線通信システム。
【請求項１３】
請求項１２に記載の無線通信システムであって、
前記制御部は、前記維持期間において、前記Ｎ個のアンテナのうちの前記選択されなかったアンテナの使用を中止する、無線通信システム。
【請求項１４】
請求項１乃至請求項４のいずれか一項に記載の無線通信システムであって、
前記周波数群に含まれる複数の周波数のそれぞれに対して、当該周波数が使用される期間において前記受信装置により受信された無線信号の品質を表す品質パラメータを取得し、前記取得した品質パラメータに基づいて、当該周波数群に含まれる複数の周波数の中から、少なくとも１つの周波数を選択し、且つ、前記選択した少なくとも１つの周波数の使用を中止する、無線通信システム。
【請求項１５】
請求項１乃至請求項４のいずれか一項に記載の無線通信システムであって、
前記Ｎ個のアンテナのそれぞれに対して、当該アンテナが使用される期間において前記受信装置により受信された無線信号の品質を表す品質パラメータを取得し、前記取得した品質パラメータに基づいて、前記Ｎ個のアンテナの中から、少なくとも１つのアンテナを選択し、且つ、前記選択した少なくとも１つのアンテナの使用を中止する、無線通信システム。
【請求項１６】
請求項１乃至請求項４のいずれか一項に記載の無線通信システムであって、
前記複数の組のそれぞれに対して、当該組が使用される期間において前記受信装置により受信された無線信号の品質を表す品質パラメータを取得し、前記取得した品質パラメータに基づいて、前記複数の組の中から、少なくとも１つの組を選択し、且つ、前記選択した少なくとも１つの組の使用を中止する、無線通信システム。
【請求項１７】
無線信号を送信する送信装置であって、
偏波方向が互いに異なる複数の直線偏波をそれぞれ放射するＮ個（Ｎは２以上の整数）のアンテナと、
アンテナ及び周波数により構成された、互いに異なる複数の組を順に使用し、前記組の使用が、当該組を構成するアンテナを使用するとともに当該組を構成する周波数を前記無線信号の搬送波の周波数として使用することにより当該無線信号を送信する制御部と、
を備え、
前記複数の組のそれぞれは、当該組を構成するアンテナが、前記Ｎ個のアンテナから選択され、且つ、当該組を構成する周波数が、当該組を構成するアンテナに対する周波数群に含まれる複数の周波数から選択され、
前記Ｎ個のアンテナがそれぞれ使用される期間の周期をＴｐ、構成するアンテナに対する周波数群に含まれる複数の周波数の全てが１回ずつ使用される期間である周波数群使用時間をＴｓとしたとき、
Ｔｐ＝ｋＮＴｓ  （ｋは１以上の値を有する係数）
の関係で前記制御部により制御される、送信装置。
【請求項１８】
偏波方向が互いに異なる複数の直線偏波をそれぞれ放射するＮ個（Ｎは２以上の整数）のアンテナを備える送信装置が、アンテナ及び周波数により構成された、互いに異なる複数の組を順に使用し、前記組の使用が、当該組を構成するアンテナを使用するとともに当該組を構成する周波数を無線信号の搬送波の周波数として使用することによる当該無線信号の送信であり、前記複数の組のそれぞれは、当該組を構成するアンテナが、前記Ｎ個のアンテナから選択され、且つ、当該組を構成する周波数が、当該組を構成するアンテナに対する周波数群に含まれる複数の周波数から選択され、
前記Ｎ個のアンテナがそれぞれ使用される期間の周期をＴｐ、構成するアンテナに対する周波数群に含まれる複数の周波数の全てが１回ずつ使用される期間である周波数群使用時間をＴｓとしたとき、
Ｔｐ＝ｋＮＴｓ  （ｋは１以上の値を有する係数）
の関係で制御され、
受信装置が、前記送信装置により送信された無線信号を受信する、通信方法。
【手続補正２】
【補正対象書類名】明細書
【補正対象項目名】０００８
【補正方法】変更
【補正の内容】
【０００８】
一つの側面では、無線通信システムは、無線信号を送信する送信装置と、上記無線信号を受信する受信装置と、を備える。
上記送信装置は、
偏波方向が互いに異なる複数の直線偏波をそれぞれ放射するＮ個（Ｎは２以上の整数）のアンテナと、
アンテナ及び周波数により構成された、互いに異なる複数の組を順に使用し、上記組の使用が、当該組を構成するアンテナを使用するとともに当該組を構成する周波数を上記無線信号の搬送波の周波数として使用することにより当該無線信号を送信する制御部と、
を備える。
上記複数の組のそれぞれは、当該組を構成するアンテナが、上記複数のアンテナから選択され、且つ、当該組を構成する周波数が、当該組を構成するアンテナに対する周波数群に含まれる複数の周波数から選択され、
前記Ｎ個のアンテナがそれぞれ使用される期間の周期をＴｐ、構成するアンテナに対する周波数群に含まれる複数の周波数の全てが１回ずつ使用される期間である周波数群使用時間をＴｓとしたとき、
Ｔｐ＝ｋＮＴｓ  （ｋは１以上の値を有する係数）
の関係で前記制御部により制御される。
【手続補正３】
【補正対象書類名】明細書
【補正対象項目名】０００９
【補正方法】変更
【補正の内容】
【０００９】
他の一つの側面では、送信装置は、無線信号を送信する。
上記送信装置は、
偏波方向が互いに異なる複数の直線偏波をそれぞれ放射するＮ個（Ｎは２以上の整数）のアンテナと、
アンテナ及び周波数により構成された、互いに異なる複数の組を順に使用し、上記組の使用が、当該組を構成するアンテナを使用するとともに当該組を構成する周波数を上記無線信号の搬送波の周波数として使用することにより当該無線信号を送信する制御部と、
を備える。
上記複数の組のそれぞれは、当該組を構成するアンテナが、上記複数のアンテナから選択され、且つ、当該組を構成する周波数が、当該組を構成するアンテナに対する周波数群に含まれる複数の周波数から選択され、
前記Ｎ個のアンテナがそれぞれ使用される期間の周期をＴｐ、構成するアンテナに対する周波数群に含まれる複数の周波数の全てが１回ずつ使用される期間である周波数群使用時間をＴｓとしたとき、
Ｔｐ＝ｋＮＴｓ  （ｋは１以上の値を有する係数）
の関係で前記制御部により制御される。
【手続補正４】
【補正対象書類名】明細書
【補正対象項目名】００１０
【補正方法】変更
【補正の内容】
【００１０】
他の一つの側面では、通信方法は、
偏波方向が互いに異なる複数の直線偏波をそれぞれ放射するＮ個（Ｎは２以上の整数）のアンテナを備える送信装置が、アンテナ及び周波数により構成された、互いに異なる複数の組を順に使用し、上記組の使用が、当該組を構成するアンテナを使用するとともに当該組を構成する周波数を無線信号の搬送波の周波数として使用することによる当該無線信号の送信であり、上記複数の組のそれぞれは、当該組を構成するアンテナが、上記複数のアンテナから選択され、且つ、当該組を構成する周波数が、当該組を構成するアンテナに対する周波数群に含まれる複数の周波数から選択され、
前記Ｎ個のアンテナがそれぞれ使用される期間の周期をＴｐ、構成するアンテナに対する周波数群に含まれる複数の周波数の全てが１回ずつ使用される期間である周波数群使用時間をＴｓとしたとき、
Ｔｐ＝ｋＮＴｓ  （ｋは１以上の値を有する係数）
の関係で制御され、
受信装置が、上記送信装置により送信された無線信号を受信する方法である。